(57)【要約】【課題】  録画番組の途中に緊急放送が挿入された場合でも、目的の番組のみを記録可能な情報処理装置を提供する。【解決手段】  チューナ部から受信（Ｓ５０１）したデータを緊急放送情報処理部２０４で緊急放送か否かを判断し（Ｓ５０２）、緊急放送でないと判断された場合には（Ｓ５０２のＹｅｓ）番組データとして、緊急放送であると判断された場合には（Ｓ５０３）緊急放送データとして記録する。これにより、緊急放送を含まないデータを番組データとして再生することが可能となる。【選択図】      図５
2006237955.tif 000002
【特許請求の範囲】
【請求項１】
デジタル放送を受信し、所望のチャネルを選択して出力する受信手段と、
前記受信手段からの出力データが緊急放送であるか否かを検出する検出手段と、
前記受信手段からの出力データである所望の番組データを記録する記録手段と
を備え、
前記記録手段は、前記検出手段の検出結果に基づき、前記番組データに緊急放送として挿入された番組内緊急放送データを除いて前記番組データを記録すること
を特徴とする情報処理装置。
【請求項２】
請求項１記載の情報処理装置において、
前記記録手段は、前記番組内緊急放送データを前記番組データとは別データとして記録すること
を特徴とする情報処理装置。
【請求項３】
請求項１記載の情報処理装置において、
前記番組データの終了時刻を取得する放送時間取得手段
をさらに備え、
前記記録手段は、前記放送時間取得手段により取得された前記終了時刻まで前記番組データを記録すること
を特徴とする情報処理装置。
【請求項４】
請求項１記載の情報処理装置において、
前記デジタル放送を受信する緊急放送用受信手段と、
前記番組データによる映像を表示画面に表示する表示手段と
をさらに備え、
前記検出手段は、前記緊急放送受信手段からの出力データが緊急放送であるか否かを検出し、
前記表示手段は、前記緊急放送受信手段からの出力データが緊急放送であると前記検出手段により検出された場合に、前記出力データによる映像を表示すること
を特徴とする情報処理装置。
【請求項５】
前記緊急放送用受信手段は、出力する前記デジタル放送のチャネルを所定のタイミングで切り換えること
を特徴とする請求項４記載の情報処理装置。
【請求項６】
請求項４又は請求項５記載の情報処理装置において、
前記検出手段により緊急放送が検出された場合に、所定のメールアドレスに緊急情報を送信する通信手段
をさらに備えることを特徴とする情報処理装置。
【請求項７】
情報処理装置を制御する制御プログラムにおいて、
デジタル放送を受信し、所望のチャネルを選択して取得する受信機能と、
前記受信機能による取得データが緊急放送であるか否かを検出する検出機能と、
前記受信機能による取得データである所望の番組データを記録する記録機能と
を備え、
前記記録機能は、前記検出機能の検出結果に基づき、前記番組データに緊急放送として挿入された番組内緊急放送データを除いて前記番組データを記録すること
を特徴とする制御プログラム。
【請求項８】
請求項７記載の制御プログラムにおいて、
前記デジタル放送を受信する緊急放送用受信機能と、
前記番組データによる映像を表示画面に表示する表示機能と
をさらに備え、
前記検出機能は、前記緊急放送用受信機能による取得データが緊急放送であるか否かを検出し、
前記表示機能は、前記緊急放送用受信機能による取得データが緊急放送であると前記検出機能により検出された場合に、前記出力データによる映像を表示すること
を特徴とする制御プログラム。
【発明の詳細な説明】
【技術分野】
【０００１】
本発明は、デジタル放送を受信し、記録する情報処理装置及び制御プログラムに関する。
【背景技術】
【０００２】
ある所望の番組を録画予約している場合に、番組の途中に緊急番組の放送等が挿入され、終了時間が変更となることがある。このような場合に、予め設定されたままの予約情報で録画を行えば、例えば番組の後半が録画されていないといった事態が生じる。このような事態を抑制する技術として、インターネットを介して放送時間の変更情報を取得する方法がある（例えば、特許文献１参照）。これにより、予約していた番組を最後まで視聴することができる。
【０００３】
【特許文献１】特開２００２−３４４８６８号公報
【発明の開示】
【発明が解決しようとする課題】
【０００４】
しかしながら特許文献１記載の方法では、予約録画していた番組を最後まで録画することはできるものの、番組の途中に例えば地震等が発生してニュース速報等の緊急放送が挿入された場合には、番組の途中に緊急放送が挿入された形で録画される。これにより、当該部分を削除若しくは再生時に早送り等することとなり、ユーザにとって煩わしい。
【０００５】
そこで本発明は、録画番組の途中に緊急放送が挿入された場合でも、目的の番組のみを記録可能な情報処理装置を提供する。
【課題を解決するための手段】
【０００６】
上記目的を達成するために、本発明の情報処理装置は、デジタル放送を受信し、所望のチャネルを選択して出力する受信手段と、前記受信手段からの出力データが緊急放送であるか否かを検出する検出手段と、前記受信手段からの出力データである所望の番組データを記録する記録手段とを備え、前記記録手段は、前記検出手段の検出結果に基づき、前記番組データに緊急放送として挿入された番組内緊急放送データを除いて前記番組データを記録することを特徴とする。
【０００７】
本発明の制御プログラムは、情報処理装置を制御する制御プログラムにおいて、デジタル放送を受信し、所望のチャネルを選択して取得する受信機能と、前記受信機能による取得データが緊急放送であるか否かを検出する検出機能と、前記受信機能による取得データである所望の番組データを記録する記録機能とを備え、前記記録機能は、前記検出機能の検出結果に基づき、前記番組データに緊急放送として挿入された番組内緊急放送データを除いて前記番組データを記録することを特徴とする。
【発明の効果】
【０００８】
本発明によれば、録画番組の途中に緊急放送が挿入された場合でも、目的の番組のみを記録可能な情報処理装置を提供することができる。
【発明を実施するための最良の形態】
【０００９】
以下、本発明の情報処理装置及びプログラムについて、図面を参照しながら説明する。
【実施例１】
【００１０】
図１は、本発明の情報処理装置の実施例であるノートＰＣ（Ｐｅｒｓｏｎａｌ  Ｃｏｍｐｕｔｅｒ）が使用されるシステムの構成を示す構成例である。ノートＰＣ１は、インターネット１１を介して携帯電話１２に接続されている。ノートＰＣ１は、緊急放送を受信した際、インターネット１１を介して携帯電話１２にその旨をメールで通知する。
【００１１】
図２は、ノートＰＣ１０の構成を示す図である。ノートＰＣ１０は、全体の動作の制御を行う制御部２０１と、デジタル放送を受信するチューナ部２０２（受信手段）及び２０３（緊急放送用受信手段）と、チューナ部２０２及び２０３からの受信信号を解析して緊急放送に関する情報を取得する緊急放送情報処理部２０４（検出手段）と、受信した映像データを記録するＨＤＤ（Ｈａｒｄ  Ｄｉｓｋ  Ｄｒｉｖｅ）２０５（記録手段）と、グラフィックコントローラ２０６（表示手段）と、ＬＣＤ（Ｌｉｑｕｉｄ  Ｃｒｉｓｔａｌ  Ｄｉｓｐｌａｙ）２０７（表示画面）と、チューナ部２０２及び２０３から受信した受信信号から、ＥＰＧ（Ｅｌｅｃｔｒｏｎｉｃ  Ｐｒｏｇｒａｍ  Ｇｕｉｄｅ）を取得する番組情報分析部２０８（放送時間取得手段）と、通信部２０９（通信手段）とから構成される。
【００１２】
制御部２０１は、ＣＰＵ（Ｃｅｎｔｒａｌ  Ｐｒｏｃｅｓｓｉｎｇ  Ｕｎｉｔ）やメモリ等から構成され、ノートＰＣ１０全体の動作を制御する。制御部２０１はＨＤＤ２０５から読み込まれた映像制御プログラム２０１ａ（制御プログラム）を実行し、ユーザにチューナ部２０２から受信した映像を視聴させることができる。
【００１３】
チューナ部２０２は、デジタル放送を受信し、所定のチャネルの映像データを出力する。より具体的には、ＲＦ信号をベースバンド信号に周波数変換しデジタル復調及び復号処理を行った上で、このデジタル信号のストリームから所望のＴＳ（Ｔｒａｎｓｐｏｒｔ  Ｓｔｒｅａｍ）信号を抜き出してＰＳ（Ｐｒｏｇｒａｍ  Ｓｔｒｅａｍ）信号に変換する。
【００１４】
チューナ部２０３は、チューナ部２０２と同様にデジタル放送を受信するが、主に緊急放送を検知するために設けられている。チューナ部２０３は映像制御プログラム２０１ａによる制御の下、例えば１０秒毎等の所定のタイミングで出力するチャネルを切り換える。
【００１５】
緊急放送情報処理部２０４は、チューナ部２０２及び２０３が受信する受信信号から、伝送多重制御信号（以下ＴＭＣＣ：Ｔｒａｎｓｍｉｓｓｉｏｎ  Ｍｕｌｔｉｐｌｅｘｉｎｇ  Ｃｏｎｆｉｇｕｒａｔｉｏｎ  Ｃｏｎｔｒｏｌ）及びＰＭＴ（Ｐｒｏｇｒａｍ  Ｍａｐ  Ｔａｂｌｅ）に含まれる緊急放送に関する情報を検出する。緊急放送の放送中には、チューナ部２０２及び２０３が受信する受信信号には、緊急放送を放送中であるか否かを示す緊急放送フラグ（緊急放送記述子からなる識別子）や、緊急放送の種類を示す緊急放送種別情報（例えば、地震情報、津波情報）、どの地域に関する情報であるかを示す地域識別情報（例えば、全国、広域、県域等）の情報が多重化されて含まれている。緊急放送情報処理部２０４は、チューナ部２０２及び２０３が受信する受信信号を解析し、これらの情報を取得する。
【００１６】
ＨＤＤ２０５は、チューナ部２０２からの受信データを、映像制御プログラム２０１ａの制御の下、ＨＤＤ２０５が持つ録画情報２０５ａに従って記録する。またこれと共に、携帯電話１２にメールを送信する為のメールアドレス２０５ｂ（所定のメールアドレス）を格納している。
【００１７】
図３は、録画情報２０５ａの例である。図３に示すように、録画情報２０５ａは、録画する番組の放送日、チャネル、番組タイトル、放送開始時刻、放送終了時刻から構成される。録画情報２０５ａは、ユーザが番組情報分析部２０８から取得されるＥＰＧに従って選択した番組から自動的に設定するようにしても良いし、ユーザがそれぞれの項目を設定してもよい。
【００１８】
グラフィックコントローラ２０６は、ＬＣＤ２０７に表示されるデータの制御を行う。ＬＣＤ２０７は、ユーザにチューナ部２０２及び２０３から受信した映像データや、ＨＤＤ２０５に格納された映像データ等を視聴させるための表示装置である。
【００１９】
番組情報分析部２０８は、チューナ部２０２若しくは２０３から受信する受信データを解析し、ＥＰＧを取得する。放送時間が変更になった場合には、番組情報分析部２０８が取得するＥＰＧにより、変更後の放送時間を取得することができる。尚、本実施例では、デジタル放送の付随情報としてＥＰＧを取得しているが、例えばＡＤＡＭＳ（登録商標、ＴＶ−Ａｓａｈｉ  Ｄａｔａ  Ａｎｄ  Ｍｕｌｔｉｍｅｄｉａ  Ｓｅｒｖｉｃｅ）等の地上波放送に重畳されて配信されるもの、インターネット１１を介してサービスプロバイダが提供するもの等を取得しても良い。
【００２０】
通信部２０９は、インターネット１１に接続されるインタフェースである。ノートＰＣ１０が携帯電話１２に割り当てられたメールアドレス２０５ｂに向けてメールを送信する際には、通信部２０９を介してメールの送信が行われる。
【００２１】
次に、チューナ部２０２で受信するデジタル放送を録画する際の処理の流れについて図４乃至図６を参照しながら説明する。
図４は、映像制御プログラム２０１ａの制御により録画される番組のタイムチャートの例である。この例において、映像制御プログラム２０１ａは、番組開始時刻Ｔ１から番組終了予定時刻Ｔ４までと録画情報２０５ａで設定された番組を録画する。しかしながら、時刻Ｔ２から時刻Ｔ３までの間に緊急放送が挿入され、それに伴い、番組の実際の終了時刻は時刻Ｔ５にずれている。
【００２２】
尚、映像制御プログラム２０１ａは、時刻Ｔ１から時刻Ｔ５までの間にＴＶチューナ２０２から取得されるデータの内、通常放送である時刻Ｔ１から時刻Ｔ２までの番組データ４０１及び時刻Ｔ３から時刻Ｔ５までの番組データ４０２を１つの番組データ４０３としてＨＤＤ２０５に記録する。また緊急放送である時刻Ｔ２から時刻Ｔ３までのデータを緊急放送データ４０４（番組内緊急放送データ）として番組データ４０３とは別に記録する。
【００２３】
図５は、チューナ部２０２で受信するデジタル放送を録画する際の、映像制御プログラム２０１ａの処理の流れを示すフローチャートである。
映像制御プログラム２０１ａは、録画情報２０５ａで設定された番組開始時刻Ｔ１になると、録画を開始する。まず、映像制御プログラム２０１ａは、チューナ部２０２から所定のチャネルの放送を受信する（Ｓ５０１）。ここで、緊急放送情報処理部２０４は、この受信したデータが緊急放送のものであるか否かを判断する（Ｓ５０２）。これは、緊急情報識別子のフラグが１となっていれば緊急放送であり、緊急情報識別子のフラグが０となっていれば緊急放送でない通常の放送であると判断することができる。
【００２４】
緊急放送であると判断された場合には（Ｓ５０２のＮｏ）、映像制御プログラム２０１ａは、チューナ部２０２から受信したデータを緊急放送データ４０４としてＨＤＤ２０５に記録する（Ｓ５０３）。
【００２５】
緊急放送でナイト緊急放送情報処理部２０４に判断された場合には（Ｓ５０２のＹｅｓ）、映像制御プログラム２０１は、チューナ部２０２から受信したデータを番組データ４０３としてＨＤＤ２０５に記録する（Ｓ５０４）。さらに、映像制御プログラム２０１ａは録画情報２０５ａで設定された番組終了時刻であるか否かを判断し（Ｓ５０５）、終了時刻であれば（Ｓ５０５のＹｅｓ）、録画を終了する。
【００２６】
ＴＶチューナ２０２から受信したデータを記録し、終了時刻でなければ（Ｓ５０３、Ｓ５０５のＮｏ）、チューナ部２０２から新たなデータを受信する（Ｓ５０１）。
【００２７】
図６は、録画中に緊急放送情報処理部２０４により緊急放送が検出された後の映像制御プログラム２０１ａの処理の流れを示すフローチャートである。
緊急放送が緊急放送情報処理部２０４により検出されると（図４における時刻Ｔ２）、映像制御プログラム２０１ａは緊急放送が終了したか否かを判断する（Ｓ６０１）。これは、緊急放送情報処理部２０４が検出する緊急情報識別子のフラグが０になることで判断される。緊急放送がまだ続いていれば（Ｓ６０１のＮｏ）緊急放送の終了を待つ（Ｓ６０１）。
【００２８】
緊急放送が終了すれば（Ｓ６０１のＹｅｓ、図４における時刻Ｔ３）、映像制御プログラム２０１ａは録画中の番組の終了時刻を取得する（Ｓ６０２）。これは、番組情報分析部２０８がＴＶチューナ２０２若しくはＴＶチューナ２０３から取得するＥＰＧ情報から取得することが可能である。番組の終了時刻を取得すれば、映像制御プログラム２０１ａは、それに伴い録画情報２０５ａの終了時刻を書き換える。図４の例であれば、当初録画情報２０５ａに設定された番組終了予定時刻Ｔ４を、時刻Ｔ５に書き換える。これにより、番組の最後まで録画できるようになる。
【００２９】
次に、チューナ部２０３から受信する受信データに対する映像制御プログラム２０１ａによる処理の流れについて、図７を参照しながら説明する。尚、チューナ部２０３は、ノートＰＣ１０の起動時には常に電源が供給され、デジタル放送を受信している。またチューナ部２０３はチューナ部２０２と独立して動作しており、図７の処理中において、チューナ部２０２からの映像は録画中であっても、何らかの番組を視聴中であっても、若しくは動作していなくとも良い。
【００３０】
まず映像制御プログラム２０１ａは、チューナ部２０３からデジタル放送を受信する（Ｓ７０１）。次に、映像制御プログラム２０１ａは、緊急放送情報処理部２０４によりこれが緊急放送であるか否かを判断する（Ｓ７０２）。緊急放送であるか否かは、緊急放送記述子の緊急放送フラグが１であるか否かにより判断することができる。緊急放送であると判断された場合には（Ｓ７０２のＹｅｓ）、次に映像制御プログラム２０１ａは、緊急放送情報処理部２０４により当該緊急放送の地域が一致しているかどうかを判断する（Ｓ７０３）。この地域については、同様に緊急放送記述子に記載される地域識別情報により判断することができる。この緊急放送の対象地域に該当する場合には（Ｓ７０３のＹｅｓ）、映像制御プログラム２０１ａは、予め設定され、ＨＤＤ２０５に格納された携帯電話１２のメールアドレス２０５ｂに向けて通信部２０９からメールを送信する（Ｓ７０４）。
【００３１】
図８は、このとき携帯電話１２に向けて送信されるメールの文面（緊急情報）の例である。先述した通り、緊急放送情報処理部２０４は、津波情報、地震情報といった緊急放送の種別情報及び全国、県域等の地域識別情報を取得することができるので、図８の例では「××地方の地震情報に関する緊急放送が放送されています」という文面となっている。
【００３２】
またメールの送信と共に、映像制御プログラム２０１ａはテレビ視聴用のアプリケーションを起動させ（Ｓ７０５）、チューナ部２０３から受信した緊急放送を放送しているチャネルをグラフィックコントローラ２０６によりＬＣＤ２０７に表示させる。
【００３３】
Ｓ７０２で緊急放送でナイト判断された場合（Ｓ７０２のＮｏ）、若しくは緊急放送の対象地域でなかった場合（Ｓ７０３のＮｏ）には、例えば１０秒等の予め設定された所定時間が経過したか否かを判断し（Ｓ７０７）、所定時間が経過していなければ（Ｓ７０７のＮｏ）、チャネルを切り換えずに新たなデータをチューナ部２０３から受信する（Ｓ７０１）。所定時間が経過していればチューナ部２０３で受信するチャネルを切り換え（Ｓ７０８）、放送を受信する（Ｓ７０１）。
【００３４】
以上説明したように本実施例によれば、録画設定中に、受信したデータが緊急放送であるか否かを緊急放送情報処理部２０４にて判別し、緊急放送でない通常放送の部分である番組データ４０１及び番組データ４０２から作成される１つのファイルである番組データ４０３として記録される。これにより、再生時に緊急放送データ４０４を含まずに再生することができる。
【００３５】
さらに、緊急放送中に外出していて視聴できなかったような場合にも、これを緊急放送データ４０４としてＨＤＤ２０５に記録しておくので、どのような緊急放送が放送されたのかを後に確認することができる。
【００３６】
また、緊急放送が挿入されて終了時刻が変更された場合にも、放送波から番組情報分析部２０８で取得するＥＰＧにより当初の番組終了予定時刻Ｔ４から実際の番組終了時刻Ｔ５に終了時刻を変更するので、番組を最後まで録画することができる。
【００３７】
本実施例では、チューナ部２０３により放送波を常に受信し、緊急放送が放送されているか否かを判断しているため、たとえユーザがＴＶ映像を視聴していなくとも、テレビ視聴アプリケーションを立ち上げてこれを視聴させることができる。若しくは、緊急放送が放送されていないチャネルの放送を視聴していたり、チューナ部２０２からの映像データをＨＤＤ２０５で録画中であっても緊急放送が放送されたことを検知することが可能である。
【００３８】
また、携帯電話１２に向けてメールを送信するので、緊急情報が放送されていることをユーザが外出していても知ることができる。
本実施例では、チューナ部２０３で受信するチャネルを所定時間毎に切り換えているので、たとえ緊急放送が放送されないチャネルがあったとしても、どこかのチャネルで緊急放送が放送されればそれを検出することができると共に、なるべく早いタイミングで緊急放送が放送されたことを検出可能である。
【００３９】
尚、本発明の実施形態は本実施例に限られたものではなく、例えばチューナ部を１つしか有していなくとも良い。この場合には、例えばチューナ部２０２からの映像データをユーザが録画及び視聴していない時に、緊急放送が放送されているか否かを検出し、緊急放送が放送された際にはテレビ視聴アプリケーションを起動させてユーザに当該緊急放送を視聴させる図７の処理が動作するようにしても良い。
【図面の簡単な説明】
【００４０】
【図１】本発明の実施例１に係るノートＰＣが使用されるシステムの構成を示す図。
【図２】本発明の実施例１に係るノートＰＣの構成を示す図。
【図３】本発明の実施例１に係るノートＰＣの持つ録画情報の例を示す図。
【図４】本発明の実施例１に係るノートＰＣで録画される番組のタイムチャートの例。
【図５】本発明の実施例１に係るノートＰＣでデジタル放送を録画する際の、映像制御プログラムの処理の流れを示すフローチャート。
【図６】本発明の実施例１に係るノートＰＣで録画中に緊急放送が検出された後の映像制御プログラムの処理の流れを示すフローチャート。
【図７】本発明の実施例１に係るノートＰＣで緊急放送を検知する際の処理の流れを示すフローチャート。
【図８】本発明の実施例１に係るノートＰＣから携帯電話に向けて送信されるメールの文面の例。
【符号の説明】
【００４１】
１０・・・ノートＰＣ
１１・・・インターネット
１２・・・携帯電話
２０１・・・制御部
２０１ａ・・・映像制御プログラム
２０２、２０３・・・チューナ部
２０４・・・緊急放送情報処理部
２０５・・・ＨＤＤ
２０５ａ・・・録画情報
２０５ｂ・・・メールアドレス
２０６・・・グラフィックコントローラ
２０７・・・ＬＣＤ
２０８・・・番組情報分析部
２０９・・・通信部
４０１、４０２、４０３・・・番組データ
４０４・・・緊急放送データ
【図１】
2006237955.tif 000003
【図２】
2006237955.tif 000004
【図３】
2006237955.tif 000005
【図４】
2006237955.tif 000006
【図５】
2006237955.tif 000007
【図６】
2006237955.tif 000008
【図７】
2006237955.tif 000009
【図８】
2006237955.tif 000010